(57)【要約】【課題】商用電源の供給状態若しくは非供給状態に関わらず、光源を点灯させ続けることが出来る防災用照明装置を提供すること。【解決手段】光源１１と商用電源１とを接続する第１の点灯回路と、光源１１と二次電池１６とを接続する第２の点灯回路と、第１の点灯回路または第２の点灯回路のうち、いずれか一方の点灯回路に選択的に接続して他方の点灯回路を遮断可能な点灯回路切替手段２２、２８と、から少なくとも構成されており、点灯回路切替手段２２、２８は、商用電源１から電力供給される供給状態において、第１の点灯回路を接続して第２の点灯回路を遮断し、商用電源１からの電力供給が停止される非供給状態において、第２の点灯回路を接続して第１の点灯回路を遮断する。【選択図】図５
2008186678.tif 000002
【特許請求の範囲】
【請求項１】
光源と商用電源とを接続する第１の点灯回路と、
前記光源と二次電池とを接続する第２の点灯回路と、
前記第１の点灯回路または前記第２の点灯回路のうち、いずれか一方の点灯回路を選択的に接続して他方の点灯回路を遮断可能な点灯回路切替手段と、から少なくとも構成されており、
前記点灯回路切替手段は、商用電源から電力供給される供給状態において、前記第１の点灯回路を接続して前記第２の点灯回路を遮断し、商用電源からの電力供給が停止される非供給状態において、前記第２の点灯回路を接続して前記第１の点灯回路を遮断することを特徴とする防災用照明装置。
【請求項２】
前記供給状態において前記非供給状態を強制的に形成させる非供給状態形成手段を備えていることを特徴とする請求項１に記載の防災用照明装置。
【請求項３】
前記二次電池と、前記切替スイッチと、前記非供給状態形成手段による前記非供給状態の形成を操作する操作部と、が設けられたスイッチボックスを備えていることを特徴とする請求項２に記載の防災用照明装置。
【請求項４】
前記二次電池の電源残量が所定量以下に低下したときに、該電源残量が所定量以下に低下した旨を報知する残量報知手段を備えていることを特徴とする請求項１ないし３のいずれかに記載の防災用照明装置。
【発明の詳細な説明】
【技術分野】
【０００１】
本発明は、商用電源の供給状態において商用電源で光源を点灯させるとともに、商用電源の非供給状態において二次電池で光源を点灯させる防災用照明装置に関する。
【背景技術】
【０００２】
従来の防災用照明装置は、通常時である商用電源の供給状態においては、商用電源を用いて光源を点灯させ、また例えば、不測の災害等の停電などにより商用電源が供給されない非供給状態となった場合は、予め備えた二次電池による電源供給に操作者が切替えて光源を点灯させている。
【発明の開示】
【発明が解決しようとする課題】
【０００３】
しかしながら、上記した従来の防災用照明装置にあっては、光源への電源供給を商用電源から二次電池に切替える手間を要していた。商用電源が非供給状態となる災害発生直後の混乱時にもっとも照明を必要としており、電源供給の切替が所定に完了するまで照明を失うことは、被災者にとって危険であり二次災害の原因となる虞も生じていた。
【０００４】
本発明は、このような問題点に着目してなされたもので、商用電源の供給状態若しくは非供給状態に関わらず、光源を点灯させ続けることが出来る防災用照明装置を提供することを目的とする。
【課題を解決するための手段】
【０００５】
上記課題を解決するために、本発明の請求項１に記載の防災用照明装置は、
光源と商用電源とを接続する第１の点灯回路と、
前記光源と二次電池とを接続する第２の点灯回路と、
前記第１の点灯回路または前記第２の点灯回路のうち、いずれか一方の点灯回路を選択的に接続して他方の点灯回路を遮断可能な点灯回路切替手段と、から少なくとも構成されており、
前記点灯回路切替手段は、商用電源から電力供給される供給状態において、前記第１の点灯回路を接続して前記第２の点灯回路を遮断し、商用電源からの電力供給が停止される非供給状態において、前記第２の点灯回路を接続して前記第１の点灯回路を遮断することを特徴としている。
この特徴によれば、光源への電源供給が、商用電源の供給状態においては、点灯回路切替手段により第１の点灯回路を接続して、商用電源から光源に電源供給され、また商用電源の非供給状態においては、点灯回路切替手段により第２の点灯回路に切替えられて、二次電池から光源に電源供給されるため、例えば、不測の災害時等の停電で商用電源が非供給状態になっても、安定して光源への電源供給を行うことで、光源を点灯させ続けることが出来、災害時等においても安全である。
【０００６】
本発明の請求項２に記載の防災用照明装置は、請求項１に記載の防災用照明装置であって、
前記供給状態において前記非供給状態を強制的に形成させる非供給状態形成手段を備えていることを特徴としている。
この特徴によれば、ごく稀に生じうる災害時等の商用電源の非供給状態において機能する点灯回路切替手段の第２の点灯回路への接続が、正常に行われるか否かを、通常の商用電源の供給状態においても何時でも確認出来る。
【０００７】
本発明の請求項３に記載の防災用照明装置は、請求項２に記載の防災用照明装置であって、
前記二次電池と、前記切替スイッチと、前記非供給状態形成手段による前記非供給状態の形成を操作する操作部と、が設けられたスイッチボックスを備えていることを特徴としている。
この特徴によれば、スイッチボックスに、二次電池と切替スイッチと非供給状態形成手段の操作部とを備えることにより、防災用照明装置の構成部品を集約出来る。
【０００８】
本発明の請求項４に記載の防災用照明装置は、請求項１ないし３のいずれかに記載の防災用照明装置であって、
前記二次電池の電源残量が所定量以下に低下したときに、該電源残量が所定量以下に低下した旨を報知する残量報知手段を備えていることを特徴としている。
この特徴によれば、二次電池の電源残量が所定量以下に低下したときに、残量報知手段によるその旨の報知で、二次電池の交換を適宜行うことが可能と成るため、不測の災害時等の商用電源の非供給状態に予め備えることが出来る。
【発明を実施するための最良の形態】
【０００９】
本発明の実施例を以下に説明する。
【実施例】
【００１０】
本発明の実施例を図面に基づいて説明すると、先ず図１は、本発明の第施例における防災用照明装置を設置した居室を示す断面図である。図２は、防災用照明装置のボックスカバーを示した斜視図である。図３（ａ）はスイッチボックスの構成部品を示す斜視図であり、（ｂ）は、スイッチボックスの構成部品を組付けた状況を示す斜視図である。図４（ａ）は、スイッチボックスの操作面を示す斜視図であり、（ｂ）は、スイッチボックスの取付状況を示す側面図である。図５は、防災用照明装置の配線を示す回路図である。
【００１１】
図１に示されるように、本実施例の防災用照明装置は、光源としてのＬＥＤ１１を内部に収容するとともに居室Ｒ内の壁面Ｗに固定設置されたボックスカバー１０と、対面の壁面Ｗに嵌設されたＬＥＤ１１を点灯操作可能なスイッチボックス２０とから構成され、これらが二次線４で接続されており、一次線３で接続された分電盤２を介して供給される交流の商用電源１、若しくはスイッチボックス２０に内蔵された後述する二次電池により、光源としてのＬＥＤ１１を点灯させるようになっている。ボックスカバー１０内に収容されたＬＥＤ１１は、基板に２灯ずつ３列に並設され計６灯設けられ、全てのＬＥＤ１１が同期して点灯若しくは消灯するようになっている。尚、スイッチボックス２０は、ボックスカバー１０の近傍に設置してもよいし、また、ボックスカバー１０を設置した居室Ｒの室外に設置してもよい。
【００１２】
図２に示されるように、ボックスカバー１０は、より具体的には、平板の略正方形状であって透光性を有し、壁面Ｗに面する背面を除いた正面及び上下左右側面の五面各面を夫々突合わせて接続した５枚の透光パネル７から主として構成されている。透光パネル７の材質は、比較的高い透光性を有するアクリル製若しくはガラス製等が好ましい。また、特に図示しないが、ボックスカバー１０の背面側の内部には、ＬＥＤ１１を並設した前記基板を取付けた取付板が嵌合されているとともに、この取付板が螺挿ねじにより壁面Ｗに固定されることで、ボックスカバー１０全体が壁面Ｗに固定設置されている。
【００１３】
また、透光パネル７の背面側に、透光パネル７と同形の略正方形状のプリズムマット９が挿入されている。プリズムマット９は、透光性を有する多数の比較的小さな略四角錐形状の光拡散部としてのプリズム部９ａから成る。このようにすることで、ＬＥＤ１１の光をプリズム部９ａに通過させることで、指向性を有するＬＥＤ１１の光を四方に分散させて偏りなく光効率よく照明することが出来るばかりか、シンプルな略直方体のボックスカバー１０内にＬＥＤ１１を収容することで、美観体裁を損なうことがない。
【００１４】
尚、光源を内部に収容するボックスカバーは、必ずしも略正方形状の面から成る略立方体形状に形成されているものに限られず、長方形などの略矩形状の面で構成された略直方体であればよい。
【００１５】
また、図３（ａ）、（ｂ）に示されるように、スイッチボックス２０は、外箱１２内に、樹脂ケース１４、二次電池としての乾電池１６を内蔵した電池ボックス１５及びスイッチ１７、後述する非供給状態形成手段としてのテストスイッチ１８を収容するとともに、外箱１２とスイッチカバー１３とを螺合して、更に取付枠１９を取付ける（図３（ｂ）参照）。そして、これらを壁面Ｗに所定に穿設した開口に居室Ｒの外側（図４（ｂ）右側）から嵌合し、居室Ｒの内側（図４（ｂ）左側）から前記開口に表面プレート２１を配置するとともに、ねじ孔２１ｃに挿通した螺挿ねじ（図示略）により、表面プレート２１と取付枠１９とを固定に取付けている。特に図示しないが、樹脂ケース１４内には、後述するコンバータ２３と、点灯回路切替手段を構成する切替スイッチ２２と、そして二次電池の残量を報知する残量報知手段とを備えた基板が内蔵されている。図４（ａ）に示されるように、表面プレート２１に形成された開口部２１ａ、２１ｂから、スイッチ１７及び非供給状態形成手段を操作する操作部としてのテストボタン１８ａが突設されており、居室Ｒ内の使用者がスイッチ１７を入切することで、ＬＥＤ１１の点灯・消灯を手動で行えるようになっている。
【００１６】
このように、スイッチボックス２０に、二次電池としての乾電池１６と切替スイッチ２２と非供給状態形成手段の操作部としてのテストボタン１８ａとを備えることにより、防災用照明装置の構成部品を集約出来る。
【００１７】
次に、防災用照明装置の配線について説明する。
【００１８】
図５に示されるように、商用電源１側の分電盤２と、スイッチボックス２０内のＡＣ／ＤＣ用のコンバータ２３の入力側とが、一次線３で接続されるとともに、コンバータ２３の出力側と、ＬＥＤ１１とが、後述する切替スイッチ２２を介して二次線４で接続されており、すなわち商用電源１と光源としてのＬＥＤ１１とを接続する第１の点灯回路を構成している。第１の点灯回路においては、一次線３では交流電流が供給され、コンバータ２３で交流電流が直流電流に変換されて、変換された直流電流がＬＥＤ１１に供給されＬＥＤ１１を点灯するように成っている。
【００１９】
また、スイッチボックス２０内に内蔵された二次電池としての市販の乾電池１６（１．５Ｖ×４本）と、ＬＥＤ１１とが、一次線５及び切替スイッチ２２を介して上記と同じ二次線４で接続されており、すなわち二次電池とＬＥＤ１１とを接続する第２の点灯回路を構成している。第２の点灯回路においては、乾電池１６から供給される直流電流がＬＥＤ１１に供給されＬＥＤ１１を点灯するように成っている。
【００２０】
尚、二次電池としての乾電池１６は、市販の消耗型の１．５Ｖの電圧で４本を直列接続したものであるが、二次電池の電圧や接続方式については、本実施例に限られるものではなく、例えば、ニッケル−水素電池、ニッケル−カドミウム電池、リチウムイオン二次電池等の充電式の電池であってもよく、この場合に簡単な充電回路を配設してもよい。また、二次電池の本数も単数若しくは複数を並列に接続したものであってもよい。
【００２１】
また、乾電池１６と切替スイッチ２２との間に、乾電池１６の電源残量低下を検知する検知部２４と、報知用ＬＥＤ２５とから構成された残量検知手段が設けられており、検知部２４で検知された電源残量が所定量以下に低下したときに、この電源残量が所定量以下に低下した旨を報知する報知用ＬＥＤ２５に電圧を印可して点灯させるように成っている。
【００２２】
次に、切替スイッチ２２は、コンバータ２３に接続された接点ａ、乾電池１６に接続された接点ｂ、ＬＥＤ１１に接続された接点ｃと、これら各接点ａ、ｂ、ｂを選択的に接続するように磁力で付勢可能な板バネ２６とからなり、板バネ２６が、接点ａと接点ｃを繋ぐ第１の接続状態と、若しくは接点ｂと接点ｃを繋ぐ第２の接続状態とに、選択的に切替えるようになっている。すなわち切替スイッチ２２は、前記第１の接続状態とした場合は上述した第１の点灯回路を接続して第２の点灯回路を遮断し、前記第２の接続状態とした場合は上述した第２の点灯回路を接続して第１の点灯回路を遮断する。更に、第１の点灯回路を手動に入切するスイッチ１７により、ＬＥＤ１１を自在に点灯、消灯できるようになっている。
【００２３】
また、切替スイッチ２２は、切替スイッチ２２に近接して設置された点灯回路切替手段を構成するリレーコイル２８により、上述したように、前記第１の接続状態と、若しくは前記第２の接続状態とに切替えられる。より具体的には、リレーコイル２８は、整流部２７を介して商用電源１側と接続されており、商用電源１から電力供給される供給状態にあっては、リレーコイル２８に電圧が印可され、この電圧の印可によりリレーコイル２８に発生した磁力により切替スイッチ２２を付勢して前記第１の接続状態に切替える。すなわち、商用電源１の供給状態においては、リレーコイル２８により切替スイッチ２２を第１の点灯回路に切替え、商用電源１による電源供給でＬＥＤ１１を点灯させる。また、不測の災害等により、商用電源１からの電力供給が停止される非供給状態となった場合にあっては、リレーコイル２８に電圧が印可されずに、リレーコイル２８には上述した磁力が発生せず、切替スイッチ２２の板バネ２６自体の付勢力により前記第２の接続状態に切替える。すなわち、商用電源１の非供給状態においては、リレーコイル２８により切替スイッチ２２を第２の点灯回路に切替え、二次電池としての乾電池１６による電源供給でＬＥＤ１１を点灯させる。
【００２４】
このようにすることで、ＬＥＤ１１への電源供給が、商用電源１の供給状態においては、リレーコイル２８により切替スイッチ２２が第１の点灯回路を接続して第２の点灯回路を遮断し、商用電源１からＬＥＤ１１に電源供給され、また、商用電源１の非供給状態においては、リレーコイル２８により切替スイッチ２２が第２の点灯回路を接続して第１の点灯回路を遮断し、乾電池１６からＬＥＤ１１に電源供給されるため、例えば、不測の災害時等の停電で商用電源１が非供給状態になったり、また元の供給状態に復旧する等の不安定な状態になっても、安定して光源としてのＬＥＤ１１への電源供給を行うことで、ＬＥＤ１１を点灯させ続けることが出来、災害時等においても安全である。
【００２５】
また、図４（ａ）に示されるように、スイッチボックス２０に、商用電源１の供給状態においても非供給状態を強制的に形成させる非供給状態形成手段の操作部としてのテストボタン１８ａが押圧可能に設けられている。テストボタン１８ａは、上述した報知用ＬＥＤ２５を内部に備えた透光性を有するアクリル材から成り、すなわちテストボタン１８ａは、押圧することでテストスイッチ１８を入状態とし商用電源１の非供給状態を強制的に形成させるテスト用のボタンと、点灯・消灯することで乾電池１６の電源残量を報知する報知部とを兼用して設けられている。
【００２６】
テストスイッチ１８について、より具体的に説明すると、テストスイッチ１８はリレーコイル２８の両端を短絡可能に入切するスイッチであって、テストスイッチ１８を入状態とすることで、たとえ実際には商用電源１が供給している状態にあっても、電流はリレーコイル２８を短絡してリレーコイル２８には印可されず、商用電源１の非供給状態を強制的に形成させ、切替スイッチ２２を第２の点灯回路に切替え、二次電池としての乾電池１６による電源供給でＬＥＤ１１を点灯させることができる。上述したテストスイッチ１８の操作はテストボタン１８ａの押圧により行う。このようにすることで、ごく稀に生じうる災害時等の商用電源１の非供給状態において機能する切替スイッチ２２の第２の点灯回路への接続が、正常に行われるか否かを、通常の商用電源１の供給状態においても何時でも確認出来る。
【００２７】
尚、非供給状態形成手段の操作部としてのテストボタン１８ａは、必ずしもスイッチボックス２０に備えられているものに限られず、例えば、非供給状態形成手段の操作部としてのブレーカが、居室Ｒの外側に設けられていてもよい。
【００２８】
更に尚、上述したスイッチ１７は、商用電源の供給状態においてＬＥＤ１１を点灯若しくは消灯させるものであるが、スイッチ１７の入切によっても、非供給状態形成手段としてのテストスイッチ１８のように、商用電源の非供給状態を強制的に形成するものではない。
【００２９】
また、乾電池１６と切替スイッチ２２との間に、乾電池１６の残量を検知して報知する残量報知手段が設けられている。残量報知手段は、乾電池１６の電圧を検知する電圧検知部２４と、報知部としての報知用ＬＥＤ２５と、主としてから成る。電圧検知部２４は、常時、乾電池１６の電圧を検知しており、この電圧検知部２４で検知された電圧が所定電圧以下に低下したとき、報知用ＬＥＤ２５を電圧印可して点灯させて、乾電池１６の電圧が所定電圧以下に低下したことを報知するように成っている。このようにすることで、二次電池としての乾電池１６の電源残量が所定量以下に低下したときに、残量報知手段による報知で、乾電池１６の交換を適宜行うことが可能と成るため、災害時等の商用電源１の非供給状態に予め備えることが出来る。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、上記実施例では、図５で示された回路により各機器が接続されているが、防災用照明装置は、上述した第１の点灯回路と、第２の点灯回路と、点灯回路切替手段とから少なくとも構成されていれば、これらに周知の装置、例えば調光装置、降圧装置、平滑装置等が介在してもよい。
【図面の簡単な説明】
【００３２】
【図１】本発明の第施例における防災用照明装置を設置した居室を示す断面図である。
【図２】防災用照明装置のボックスカバーを示した斜視図である。
【図３】（ａ）はスイッチボックスの構成部品を示す斜視図であり、（ｂ）は、スイッチボックスの構成部品を組付けた状況を示す斜視図である。
【図４】（ａ）は、スイッチボックスの操作面を示す斜視図であり、（ｂ）は、スイッチボックスの取付状況を示す側面図である。
【図５】防災用照明装置の配線を示す回路図である。
【符号の説明】
【００３３】
１                商用電源
２                分電盤
３                一次線
４                二次線
５                一次線
７                透光パネル
９                プリズムマット
９ａ              プリズム部
１０              ボックスカバー
１１              ＬＥＤ（光源）
１２              外箱
１６              乾電池（二次電池）
１７              スイッチ
１８              テストスイッチ（非供給状態形成手段）
１８ａ            テストボタン（非供給状態形成手段の操作部）
１９              取付枠
２０              スイッチボックス
２１              表面プレート
２２              切替スイッチ（点灯回路切替手段）
２３              コンバータ
２４              電圧検知部（残量報知手段）
２５              報知用ＬＥＤ（残量報知手段）
２６              板バネ
２７              整流部
２８              リレーコイル（点灯回路切替手段）
【図１】
2008186678.tif 000003
【図２】
2008186678.tif 000004
【図３】
2008186678.tif 000005
【図４】
2008186678.tif 000006
【図５】
2008186678.tif 000007